(57)【特許請求の範囲】
【請求項１】
複数の層に色分けされた盛り塩を成形する盛り塩成形器であって、
錐形の型部空間(10)を有し径大側が開口した中空体である先部型容器(1)と、
該先部型容器(1)に接合したときに前記錐形の型部空間(10)に繋がる型部空間(20)を有する基部型容器(2)と、
を備えており、
前記先部型容器(1)と基部型容器(2)の双方に、先部型容器(1)と基部型容器(2)の接合と接合解除が可能な接合要素が設けられており、
前記先部型容器(1)の型部空間(10)を形成する型面(11)は、基部型容器(2)の型部空間(20)を形成する型面(21)と同じ傾斜角を有しており、先部型容器(1)を基部型容器(2)に装着したときに型面(11,21)同士が面一になるようにしてあり、
前記接合要素は、
先部型容器(1)の開口側に設けられ、円柱面状に形成された外面(13)に係合突起(16)が設けられている嵌入部(12)と、
基部型容器(2)の径小側に設けられ、円柱面状に形成された外面(24)を有し、内面(25)には係合突起(16)が入る深さでＬ字形状の係合凹溝(26)が設けられ、前記先部型容器(1)の嵌入部(12)に外嵌めができる嵌入受部(23)と、
を備えており、
係合凹溝(26)は、係合突起(16)が抜け外れないように係合する横溝(262)を備え、横溝(262)の先部には横溝(262)と外面(24)を貫通して孔(263)が設けられている、
盛り塩成形器。
【請求項２】
基部型容器(2b)が複数の型容器構成体(28,29)で構成されており、該各型容器構成体(28,29)は相互に接合される型容器構成体(28,29)の双方に、各型容器構成体(28,29)の接合と接合解除が可能な接合要素が設けられている、
請求項１記載の盛り塩成形器。
【請求項３】
先部型容器(1,1a)と基部型容器(2,2a)を接合したときの型部空間(10,20)(10a,20a)全体の形状が円錐形または角錐形である、
請求項１または２のいずれかに記載の盛り塩成形器。
【発明の詳細な説明】
【技術分野】
【０００１】
本発明は、盛り塩成形器に関するものである。更に詳しくは、紅白の盛り塩などのように複数の層に色分けされた盛り塩を成形するときに、各層の境界部が乱れたり波打つことがなく、見栄えがする盛り塩を成形することができる盛り塩成形器に関する。
【背景技術】
【０００２】
盛り塩は、その場の気を浄化したり邪気を払うものとされ、神事を行う神社以外にも、例えば古くからの伝統を引き継ぐ料亭や寄席小屋などにおいても縁起を担ぐための欠かせないものとなっている。また、近年においては、風水などが広く認知されたことの影響で一般の家庭でも盛り塩をするところが増えてきた。
【０００３】
盛り塩は、一般的には小皿に粗塩を盛って手で山形に形を整えて形成しているが、よりきれいな円錐形の盛り塩を簡単に形成することができるように、そのための道具として、例えば特許文献１記載の盛り塩成形器が提案されている。
【０００４】
この盛り塩成形器は、開口縁に設けた弾性体の作用で、盛り塩を適度に固めた状態で成形することができるものである。なお、この盛り塩成形器は、白塩で形成した単色の盛り塩だけでなく、紅白の盛り塩など、複数の層に色分けされた盛り塩を形成することもできる。紅白の盛り塩のつくり方は次のとおりである。
【０００５】
まず、盛り塩成形器を逆さにして、例えば型穴の１／２程の深さまで紅塩を入れて上面を押さえる。次に、型穴の残りの空間部に白塩をいっぱいまで入れて上面を押さえる。最後に、盛り塩成形器に蓋をするように小皿をかぶせ、そのままひっくり返して小皿ごと床などに置き、塩が崩れないようにして盛り塩成形器を上に引き上げる。
【０００６】
【特許文献１】実用新案登録第３０８２３３２号
【発明の開示】
【発明が解決しようとする課題】
【０００７】
しかしながら、前記特許文献１記載の盛り塩成形器には次のような課題があった。
前記で説明したように、紅白盛り塩など、複数の層に色分けされた盛り塩を形成するときには、型穴に先に入れた塩の層の上面を押さえて平面に均すようにする。しかし、この作業は感覚的な手作業であるために、前記上面部をきれいに整えることは難しい。このため、前記盛り塩成形器を使用して盛り塩を形成すると、色の異なる層の境界部が乱れたり波打った見栄えのしない盛り塩ができてしまうことが多かった。
【０００８】
（本発明の目的）
本発明の目的は、例えば紅白の盛り塩などのように複数の層に色分けされた盛り塩を成形するときに、各層の境界部が乱れたり波打つことがなく、全体としてもきれいで見栄えがする盛り塩を成形することができる盛り塩成形器を提供することである。
【課題を解決するための手段】
【０００９】
上記課題を解決するために本発明が講じた手段は次のとおりである。
本発明は、
複数の層に色分けされた盛り塩を成形する盛り塩成形器であって、
錐形の型部空間を有し径大側が開口した中空体である先部型容器と、
該先部型容器に接合したときに前記錐形の型部空間に繋がる型部空間を有する基部型容器と、
を備えており、
前記先部型容器と基部型容器の双方に、先部型容器と基部型容器の接合と接合解除が可能な接合要素が設けられており、
前記先部型容器の型部空間を形成する型面は、基部型容器の型部空間を形成する型面と同じ傾斜角を有しており、先部型容器を基部型容器に装着したときに型面同士が面一になるようにしてあり、
前記接合要素は、
先部型容器の開口側に設けられ、円柱面状に形成された外面に係合突起が設けられている嵌入部と、
基部型容器の径小側に設けられ、円柱面状に形成された外面を有し、内面には係合突起が入る深さでＬ字形状の係合凹溝が設けられ、前記先部型容器の嵌入部に外嵌めができる嵌入受部と、
を備えており、
係合凹溝は、係合突起が抜け外れないように係合する横溝を備え、横溝の先部には横溝と外面を貫通して孔が設けられている、
盛り塩成形器である。
【００１０】
本発明に係る盛り塩成形器は、基部型容器が複数の型容器構成体で構成されており、該各型容器構成体は相互に接合される型容器構成体の双方に、各型容器構成体の接合と接合解除が可能な接合要素が設けられていてもよい。
【００１１】
本発明は、先部型容器と基部型容器を接合したときの型部空間全体の形状を円錐形または角錐形とすることができる。
【００１４】
特許請求の範囲及び明細書にいう「摺り切り」の用語は、塩を型容器の縁で均して、ちょうど一杯にするという意味で使用している。
特許請求の範囲及び明細書にいう「角錐」の用語は、例えば三角錐、四角錐、五角錐、六角錐、七角錐、八角錐あるいはそれ以上の角部を有する角錐の意味を含み、それらが正多角錐であってもよいし、正多角錐でなくてもよい。
【００１５】
（作用）
本発明に係る盛り塩成形器の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
盛り塩成形器(S1)を先部型容器(1)と基部型容器(2)に分解する。
先部型容器(1)の錐形の型部空間(10)に任意の色の塩(3)を入れ、この塩(3)を摺り切りにして均す。これにより、前記塩(3)は先部型容器(1)のちょうど一杯になり、摺り切りにされた塩(3)の円形の外周縁は、先部型容器(1)の開口部の縁で均されて全周にわたり同じ平面上に位置する。
【００１７】
次に、先部型容器(1)に筒形の基部型容器(2)を接合要素(12,16)(23,26)によって接合し、基部型容器(2)の型部空間(20)に先部型容器(1)に入れた塩(3)とは色が異なる塩(4)を一杯になるように入れる。
盛り塩成形器(S1)の基部型容器(2)に蓋をするように小皿等をかぶせ、そのままひっくり返して小皿ごと床などに置き、内部の塩が崩れないようにして盛り塩成形器(S1)を上に引き上げる。
【００１８】
これにより、小皿の上に、上側の層と下側の層で色が異なる錐形に成形された盛り塩が残る。各層の境界部（境界線）は、同じ平面上にあり、乱れたり波打つこともなく整っており、盛り塩全体としてもきれいで見栄えがする。
【発明の効果】
【００１９】
本発明によれば、例えば紅白の盛り塩などのように複数の層に色分けされた盛り塩を成形するときに、各層の境界部が乱れたり波打つことがなく、全体としてもきれいで見栄えがする盛り塩を成形することができる。
【発明を実施するための最良の形態】
【００２０】
本発明を図に示した実施例に基づき詳細に説明する。
〔実施の形態１〕
【００２１】
図１は本発明に係る盛り塩成形器の第１実施形態を示し、先部型容器と基部型容器を分解した状態の斜視説明図、
図２は本発明に係る盛り塩成形器の第１実施形態を示し、先部型容器と基部型容器を接合した状態の斜視図、
図３は本発明に係る盛り塩成形器の第１実施形態を示し、先部型容器と基部型容器を接合した状態の正面図、
図４は図３のＡ−Ａ断面図、
図５は図３のＢ−Ｂ断面図である。
【００２２】
本実施の形態の盛り塩成形器Ｓ１は、紅白の盛り塩等、二つの層に色分けされた盛り塩を成形することができるものである。盛り塩成形器Ｓ１は、先部型容器１と基部型容器２で構成されている。各容器１、２は、いずれも半透明な合成樹脂で形成されている。
【００２３】
先部型容器１は、外形がほぼ円錐形の径大側が開口した中空体である。先部型容器１の壁部はほぼ同じ厚さに形成されており、これにより内部側の型部空間１０を形成する型面１１の形状は円錐面状である。型面１１は、後述する基部型容器２の型部空間２０を形成する型面２１と同じ傾斜角を有しており、先部型容器１を基部型容器２に装着したときに基部型容器２の型面２１と面一になり、境界部に段差が生じないように形成されている。
【００２４】
先部型容器１の開口側の端縁部外面１４側には、嵌入部１２が形成されている。嵌入部１２の外面１３は、上下幅がやや薄い円柱面状に形成されている。嵌入部１２の上端部には、円錐面である外面１４との間に段部１５が形成されている。
嵌入部１２の外面１３には、直径線方向の二箇所に係合突起１６が外側へ突出して設けられている。各係合突起１６は、後述する基部型容器２の嵌入受部２３に形成されている係合凹溝２６に係合されるものである。なお、先部型容器１の嵌入部１２、係合突起１６は、後述する基部型容器２の嵌入受部２３、係合凹溝２６と共に接合要素を構成する。
【００２５】
先部型容器１と組み合わせて使用される基部型容器２は、末広がりのほぼ円筒形状である。基部型容器２の壁部はほぼ同じ厚さに形成されており、これにより内部側の型部空間２０を形成する型面２１の形状は円錐面状である。なお、前記したように型面２１の傾斜角は前記先部型容器の型面１１の傾斜角と同じであり、型面１１、２１は面一となってつながり、両方で所定の円錐形状の盛り塩が成形できるようにしてある。
【００２６】
基部型容器２の径大側の端縁部には、外形が円形で等幅の接面部２２が外側へ突出して設けられている。
また、基部型容器２の径小側の端縁部外面側には、嵌入受部２３が形成されている。嵌入受部２３の外面２４は、前記先部型容器１の嵌入部１２の外面１３より径大で上下幅も厚い円柱面状に形成されている。嵌入受部２３の内面２５は、先部型容器１の嵌入部１２が内嵌め可能で周方向へスライド可能な内径、すなわち嵌入部１２の外面１３の外径より若干径大に形成されている。
【００２７】
嵌入受部２３の内面２５には、直径線方向の二箇所に係合凹溝２６が形成されている。係合凹溝２６は、嵌入受部２３の上面２７から内面２５にわたり、前記先部型容器１の係合突起１６が入る深さでＬ字形状に設けられている。係合凹溝２６の縦溝２６１は係合突起１６を誘導する部分であり、横溝２６２は係合突起１６が抜け外れないように係合する部分である。横溝２６２の先部には、横溝２６２と外面２４を貫通して孔２６３が設けられている。
【００２８】
（作用）
図６は盛り塩成形器を使用した紅白盛り塩の成形方法を示す説明図である。
図１ないし図６を参照して紅白盛り塩の成形方法と共に盛り塩成形Ｓ１の使用方法及び作用を説明する。
【００２９】
まず、盛り塩成形器Ｓ１を先部型容器１と基部型容器２に分解する。
次に、先部型容器１を逆さにして、内部の型部空間１０に紅色の塩３をやや多めに入れて適度に押さえ、最後に直線部を有する板（図示省略）で摺り切りにする。これにより、紅色の塩３は、先部型容器１のちょうど一杯になる。また、紅色の塩３の円形の外周縁は、先部型容器１の開口部の縁で均されて、全周にわたり同じ平面上に位置することになる。
【００３０】
この状態で先部型容器１に基部型容器２を接合する。この接合は、まず、基部型容器２の各係合凹溝２６の縦溝２６１を先部型容器１の各係合突起１６に合わせ、基部型容器２を押し込む。これにより、基部型容器２の嵌入受部２３は先部型容器１の嵌入部１２に外嵌めされる。さらに、この状態から基部型容器２を先部型容器１に対し右方向へ回すことにより、各係合突起１６が各係合凹溝２６の横溝２６２に係合し、これにより先部型容器１と基部型容器２は接合される。
【００３１】
そして、基部型容器２の内側に形成されている型部空間２０に白色の塩４をやや多めに入れて適当に押さえてほぼ一杯になるようにする。なお、必要に応じて、前記先部型容器１の場合と同じように板を使って摺り切りにしてもよい。
最後に、盛り塩成形器Ｓ１に蓋をするように小皿５をかぶせ、そのままひっくり返して小皿５ごと床などに置き、内部の塩が崩れないようにして盛り塩成形器Ｓ１を上に引き上げる。
【００３２】
これにより、小皿５の上に、上側が紅色の塩３で下側が白色の塩４の円錐形に成形された盛り塩７が残る。なお、紅色の塩３と白色の塩４の境界部（境界線）は、同じ平面上にあり、乱れたり波打つこともなく整っており、盛り塩７全体としてもきれいで見栄えがする。
【００３３】
〔実施の形態２〕
〔０００〕
図７は本発明に係る盛り塩成形器の第２実施形態を示し、先部型容器と基部型容器を分解した状態の斜視説明図、
図８は本発明に係る盛り塩成形器の第２実施形態を示し、先部型容器と基部型容器を接合した状態の縦断面図である。
【００３４】
本実施の形態の盛り塩成形器Ｓ２は、前記盛り塩成形器Ｓ１が円錐形であるのに対し、正八角錐形である。盛り塩成形器Ｓ２を構成する先部型容器１ａ及び基部型容器２ａは、前記盛り塩成形器Ｓ１を構成する先部型容器１及び基部型容器２と前記のように壁面の形状が異なるだけで他の構造は同様であるので、図７、図８において前記盛り塩成形器Ｓ１と同等箇所に同一の符号を付し、構造についての詳しい説明は省略する。
【００３５】
また、先部型容器１ａの嵌入部１２、係合突起１６と、基部型容器２ａの嵌入受部２３、係合凹溝２６は、先部型容器１ａに対し基部型容器２ａを接合する際、基部型容器２ａを停止位置まで回したところで、先部型容器１ａに形成されている型面１１ａの各角部と、基部型容器２ａに形成されている型面２１ａの各角部が合うように各部寸法が設定されている。
なお、盛り塩成形器Ｓ２の使い方や作用も、成形される盛り塩の形状が正八角錐になること以外は大体において前記盛り塩成形器Ｓ１と同様であるので、説明は省略する。
【００３６】
〔実施の形態３〕
【００３７】
図９は本発明に係る盛り塩成形器の第３実施形態を示し、先部型容器と基部型容器を接合した状態の縦断面図である。
なお、本実施の形態では、図９において前記盛り塩成形器Ｓ２と同等箇所の要部に同一符号を付して示し、構造について重複する説明は基本的に省略する。
【００３８】
本実施の形態の盛り塩成形器Ｓ３は、前記盛り塩成形器Ｓ２と同じく正八角錐形の盛り塩を成形するものであるが、二色ではなく三色の盛り塩を成形することができる点が異なっている。
盛り塩成形器Ｓ３は、基部型容器２ｂが二つの型容器構成体２８、２９で構成されており、先部型容器１ｂと合わせて合計３部品で構成されている。型容器構成体２８と型容器構成体２９の接合要素の構造は、先部型容器１ｂと型容器構成体２８の接合要素の構造と同様である。
【００３９】
盛り塩成形器Ｓ３の使い方や作用は、各型容器の接合方法等については前記盛り塩成形器Ｓ１と同様である。盛り塩成形器Ｓ３を使用した、紅色、白色、紺色の三色の盛り塩の成形方法を簡単に説明する。
まず、盛り塩成形器Ｓ３を先部型容器１ｂと型容器構成体２８、２９に分解し、先部型容器１ｂの型部空間１０ｂに紅色の塩（図示省略）をやや多めに入れて適度に押さえて摺り切りにする。次に、先部型容器１ｂに型容器構成体２８を接合し、型容器構成体２８の型部空間２８０に白色の塩（図示省略）をやや多めに入れて適度に押さえて摺り切りにする。
【００４０】
さらに型容器構成体２８に型容器構成体２９を接合し、型容器構成体２９の型部空間２９０に紺色の塩（図示省略）を入れて同様に摺り切りにする。最後に、盛り塩成形器Ｓ３に蓋をするように小皿５をかぶせ、そのままひっくり返して小皿５ごと床などに置き、内部の塩が崩れないようにして盛り塩成形器Ｓ３を上に引き上げる。
これにより、小皿５の上に、上から順に紅色の塩、白色の塩、紺色の塩で八角錐形に成形された盛り塩（図示省略）が残る。なお、各色の塩の境界部（境界線）は、乱れたり波打つこともなく整っており、盛り塩全体としてもきれいで見栄えがする。
【００４１】
〔実施の形態４〕
【００４２】
図１０は本発明に係る盛り塩成形器の第４実施形態を示し、先部型容器と基部型容器を分解した状態の斜視説明図である。なお、本実施の形態では、図１０において前記盛り塩成形器Ｓ２と同等箇所の要部に同一符号を付して示し、構造について重複する説明は基本的に省略する。
【００４３】
本実施の形態の盛り塩成形器Ｓ４は、外形が八角錘形で二色の盛り塩を成形することができる点では前記盛り塩成形器Ｓ２と同様であるが、盛り塩成形器Ｓ４の外形が円錐形である点が異なっている。盛り塩成形器Ｓ４は、先部型容器１ｃと基部型容器２ｃの壁部の厚さが同じ厚さでなくより厚い部分があるので、強度に優れている。
なお、盛り塩成形器Ｓ４の使い方や作用は、成形される盛り塩の形状が正八角錐になること以外は大体において前記盛り塩成形器Ｓ１と同様であるので、説明は省略する。
【００４４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４５】
【図１】本発明に係る盛り塩成形器の第１実施形態を示し、先部型容器と基部型容器を分解した状態の斜視説明図。
【図２】本発明に係る盛り塩成形器の第１実施形態を示し、先部型容器と基部型容器を接合した状態の斜視図。
【図３】本発明に係る盛り塩成形器の第１実施形態を示し、先部型容器と基部型容器を接合した状態の正面図。
【図４】図３のＡ−Ａ断面図。
【図５】図３のＢ−Ｂ断面図。
【図６】盛り塩成形器を使用した紅白盛り塩の成形方法を示す説明図。
【図７】本発明に係る盛り塩成形器の第２実施形態を示し、先部型容器と基部型容器を分解した状態の斜視説明図。
【図８】本発明に係る盛り塩成形器の第２実施形態を示し、先部型容器と基部型容器を接合した状態の縦断面図。
【図９】本発明に係る盛り塩成形器の第３実施形態を示し、先部型容器と基部型容器を接合した状態の縦断面図。
【図１０】本発明に係る盛り塩成形器の第４実施形態を示し、先部型容器と基部型容器を分解した状態の斜視説明図。
【符号の説明】
【００４６】
Ｓ１  盛り塩成形器
１  先部型容器
１０  型部空間
１１  型面
１２  嵌入部
１３  外面
１４  外面
１５  段部
１６  係合突起
２  基部型容器
２０  型部空間
２１  型面
２２  接面部
２３  嵌入受部
２４  外面
２５  内面
２６  係合凹溝
２６１  縦溝
２６２  横溝
２６３  孔
２７  上面
３  紅色の塩
４  白色の塩
５  小皿
７  盛り塩
Ｓ２  盛り塩成形器
１ａ  先部型容器
１１ａ  型面
２ａ  基部型容器
２１ａ  型面
Ｓ３  盛り塩成形器
１ｂ  先部型容器
１０ｂ  型部空間 
２ｂ  基部型容器
２８  型容器構成体
２８０  型部空間
２９  型容器構成体
２９０  型部空間
Ｓ４  盛り塩成形器
１ｃ  先部型容器
２ｃ  基部型容器
【要約】
【課題】紅白の盛り塩などのように複数の層に色分けされた盛り塩を成形するときに、各層の境界部が乱れたり波打つことがなく、全体としてもきれいで見栄えがする盛り塩を成形することができる盛り塩成形器を提供する。
【解決手段】盛り塩成形器(S1)は、複数の層に色分けされた盛り塩を成形することができる。盛り塩成形器(S1)は、錐形の型部空間(10)を有する先部型容器(1)と、先部型容器(1)に接合したときに型部空間(10)に繋がる型部空間(20)を有する基部型容器(2)とを備えている。先部型容器(1)と基部型容器(2)には、先部型容器(1)と基部型容器(2)の接合と接合解除が可能な接合要素(12,16)(23,26)が設けられている。
【選択図】図１【図１】
0004169781.tif 000002
【図２】
0004169781.tif 000003
【図３】
0004169781.tif 000004
【図４】
0004169781.tif 000005
【図５】
0004169781.tif 000006
【図６】
0004169781.tif 000007
【図７】
0004169781.tif 000008
【図８】
0004169781.tif 000009
【図９】
0004169781.tif 000010
【図１０】
0004169781.tif 000011